(57)【要約】      （修正有）【課題】押圧操作で収納トレイを開閉することにより、爪を傷つけずかつ指が不自由な人でも簡単に錠剤を収納できる押し出し式錠剤収納ケースを提供する。【解決手段】錠剤収納ケースは、ケース本体と複数の収納トレイ２０と複数の押動係合装置３０とを備え、ケース本体は、内部空間１１と複数の開口部１２を有し、収納トレイは、内部空間内に配置されケース本体に対して押圧方向又は開放方向に沿って移動でき、複数の収納トレイがそれぞれ、開口部から選択的に突出する。収納トレイは、収納空間と係合部２２を含み、係合部は収納トレイの押圧方向側面上に形成される。押動係合装置は、複数の収納トレイと選択的に係合され、挟持具を含む。収納トレイが押圧方向へ移動すると、係合部が挟持具を押圧し、挟持具は、係合部との係合及び解放を切り換える。係合部が、挟持具に係合されているとき、収納トレイは固定され、係合部が係合状態から解放されると、収納トレイは開放方向へ移動して開口部から突出する。【選択図】図４
0003231868.tif 000002
【実用新案登録請求の範囲】
【請求項１】
押し出し式錠剤収納ケースであって、ケース本体と、複数の収納トレイと、複数の押動係合装置とを備え、
前記ケース本体は、内部空間と、該内部空間と連通する複数の開口部を有し、該複数の開口部から該内部空間に向かう方向は押圧方向として定義され、該内部空間から該複数の開口部に向かう方向は開放方向として定義され、
前記複数の収納トレイは、前記内部空間内に配置されると共に、前記ケース本体に対して、前記押圧方向又は開放方向に沿って移動することができ、これにより、該複数の収納トレイがそれぞれ、前記複数の開口部から選択的に突出することができ、各収納トレイは、収納空間と係合部を含み、該収納空間は、該収納トレイが対応する開口部から突出しない限り、対応する開口部から露出せず、一方で、該収納トレイが対応する開口部から突出すれば、対応する該開口部から露出し、該係合部が、該収納トレイにおける前記押圧方向を向く側面上に、該押圧方向に沿って延在するように形成され、
前記複数の押動係合装置は、前記内部空間内に設置されると共に、それぞれが前記複数の収納トレイと選択的に係合され、各押動係合装置は挟持具を含み、対応している前記収納トレイが前記押圧方向へ移動すると、当該対応している収納トレイの係合部が挟持具を押圧することにより、該挟持具は、当該対応している収納トレイの係合部との係合及び解放状態の切り換えが行われ、該収納トレイの係合部が、該挟持具に係合挟持されているとき、当該収納トレイは前記開放方向へ移動することができないように固定されるので、対応する前記開口部から突出することができず、一方で、該収納トレイの係合部が、該挟持具に係合挟持されている状態から解放されると、当該収納トレイは該開放方向へ移動して、対応する該開口部から突出することを特徴とする押し出し式錠剤収納ケース。
【請求項２】
請求項１に記載の押し出し式錠剤収納ケースにおいて、前記ケース本体は、下ケースと蓋体を含み、
前記蓋体は、前記下ケースに枢設されると共に、該下ケースに選択的に係合され、該ケース本体の内部空間が、該蓋体と下ケースとの間に形成され、該ケース本体の複数の開口部が、該蓋体の周縁と該下ケースの周縁との間に形成され、該蓋体は、前記複数の収納トレイの収納空間の開放口を選択的に被覆することを特徴とする押し出し式錠剤収納ケース。
【請求項３】
請求項１又は請求項２に記載の押し出し式錠剤収納ケースにおいて、
前記ケース本体の内壁面上に、前記押圧方向と平行する複数のスライド溝が設けられ、
前記各収納トレイは、案内部をさらに有し、該案内部は、前記複数のスライド溝のうちの一つの内を移動することができることを特徴とする押し出し式錠剤収納ケース。
【請求項４】
請求項１又は請求項２に記載の押し出し式錠剤収納ケースにおいて、
前記ケース本体の内壁面上に複数のストッパーが設けられ、該複数のストッパーがそれぞれ、前記複数の収納トレイの収納空間内に突入しており、該各収納トレイが前記開放方向へ移動する際、対応している該ストッパーとの当接により該収納トレイの移動量が規制され、これにより、該収納トレイが該ケース本体から脱落することを防止することを特徴とする押し出し式錠剤収納ケース。
【考案の詳細な説明】
【技術分野】
【０００１】
本考案は、収納ケースに関し、特に、押し出し式錠剤収納ケースに関するものである。
【背景技術】
【０００２】
従来の錠剤収納ケースのほとんどは、四方形の箱体であって、その内部空間を仕切って互いに独立した複数の錠剤収納空間が形成され、各錠剤収納空間の開口は上向きであり、各錠剤収納空間に対応する開口を開閉することが可能な複数の蓋を有する。
【０００３】
従来の錠剤収納ケースの利用において、錠剤を入れたり、取り出したりするとき、使用者は、爪や指先で蓋を持ち上げるように開ける必要があることから、爪を傷める虞があるだけでなく、指関節を怪我している人や、長爪、指力の弱い人に対して、蓋を開けるのは困難であるので、従来の錠剤収納ケースの構造を改善する必要があった。
【考案の概要】
【考案が解決しようとする課題】
【０００４】
本考案は、前記の従来技術の欠点に鑑みてなされたものであり、押圧操作で錠剤を収納する収納トレイを開閉することにより、爪を傷つけず、かつ指が不自由な人でも簡単に錠剤を収納することができる押し出し式錠剤収納ケースを提供することを目的としている。
【課題を解決するための手段】
【０００５】
上記目的を達成するために、本考案は、押し出し式錠剤収納ケースであって、ケース本体と、複数の収納トレイと、複数の押動係合装置とを備え、
前記ケース本体は、内部空間と、該内部空間と連通する複数の開口部を有し、該複数の開口部から該内部空間に向かう方向は押圧方向として定義され、該内部空間から該複数の開口部に向かう方向は開放方向として定義され、
前記複数の収納トレイは、前記内部空間内に配置されると共に、前記ケース本体に対して、前記押圧方向又は開放方向に沿って移動することができ、且つ、それぞれが前記複数の開口部から選択的に突出することができ、各収納トレイは、収納空間と係合部を含み、該収納空間は、該収納トレイが対応する開口部から突出しない限り、対応する開口部から露出せず、一方で、該収納トレイが対応する開口部から突出すれば、対応する該開口部から露出し、該係合部が、該収納トレイにおける前記押圧方向を向く側面上に、該押圧方向に沿って延在するように形成され、
前記複数の押動係合装置は、前記内部空間内に設置されると共に、それぞれが前記複数の収納トレイと選択的に係合され、各押動係合装置は挟持具を含み、対応している前記収納トレイが前記押圧方向へ移動すると、当該対応している収納トレイの係合部が挟持具を押圧することにより、該挟持具は、当該対応している収納トレイの係合部との係合及び解放状態の切り換えが行われ、該収納トレイは、該挟持具に係合挟持されているとき、前記開放方向へ移動することができないように固定されるので、対応する前記開口部から突出することができず、一方で、該挟持具に係合挟持されている状態から解放されると、該開放方向へ移動して、対応する該開口部から突出することを特徴とする。
【０００６】
前記押し出し式錠剤収納ケースにおいて、前記ケース本体は、下ケースと蓋体を含み、前記蓋体は、前記下ケースに枢設されると共に、該下ケースに選択的に係合され、該ケース本体の内部空間が、該蓋体と下ケースとの間に形成され、該ケース本体の複数の開口部が、該蓋体の周縁と該下ケースの周縁との間に形成され、該蓋体は、前記複数の収納トレイの収納空間の開放口を選択的に被覆することを特徴とする。
【０００７】
前記押し出し式錠剤収納ケースにおいて、
前記ケース本体の内壁面上に、前記押圧方向と平行する複数のスライド溝が設けられ、
前記各収納トレイは、案内部をさらに有し、該案内部は、前記複数のスライド溝のうちの一つの内を移動することができることを特徴とする。
【０００８】
前記押し出し式錠剤収納ケースにおいて、
前記ケース本体の内壁面上に複数のストッパーが設けられ、該複数のストッパーがそれぞれ、前記複数の収納トレイの収納空間内に突入しており、該各収納トレイが前記開放方向へ移動する際、対応している該ストッパーとの当接により該収納トレイの移動量が規制され、これにより、該収納トレイが該ケース本体から脱落することを防止することを特徴とする。
【考案の効果】
【０００９】
本考案の押し出し式錠剤収納ケースにおいて、ケース本体の内部空間に配置される収納トレイは、ケース本体の開口部から選択的に突出することができ、また、収納トレイの収納空間の開放口が、開放方向と直交するように設計されることにより、収納トレイが、対応している開口部から突出していないのであれば、当該収納トレイの収納空間が、対応している開口部から露出しないので、錠剤を収納することが確保される。収納トレイにおける押圧方向を向く側面上に、押圧方向に沿って延在するように形成される係合部が設置されることにより、収納トレイが押圧方向へ移動すると、収納トレイの係合部を介して挟持具を押圧し、すると、該挟持具は、収納トレイの係合部との係合／解放状態の切り換えが行われ、収納トレイと挟持具とが係合挟持されている状態において、収納トレイは、開放方向へ移動することができず、開口部から突出することができないので、不意に開放されるような事態の発生を確実に防止でき、一方で、収納トレイが挟持具に係合挟持されている状態から解放される状態において、収納トレイは、開放方向へ移動して開口部から突出し、このような設計により、使用者は、収納トレイを挟持具に押し付ける操作により、収納空間を下ケースから引き出すことができる。本考案の押し出し式錠剤収納ケースによれば、押圧操作で錠剤を収納する収納トレイを開閉することができることにより、爪を傷つけず、かつ指が不自由な人でも簡単に錠剤を収納することができる。
【図面の簡単な説明】
【００１０】
【図１】本考案に係る押し出し式錠剤収納ケースの斜視図である。
【図２】本考案に係る押し出し式錠剤収納ケースを開放する操作を示す模式図である。
【図３】本考案に係る押し出し式錠剤収納ケースを開放する操作を示す模式図である。
【図４】本考案に係る押し出し式錠剤収納ケースの分解図である。
【図５】本考案に係る押し出し式錠剤収納ケースにおける、押動係合装置の分解図である。
【図６】本考案に係る押し出し式錠剤収納ケースにおける、押動係合装置の底面視断面図である。
【図７】本考案に係る押し出し式錠剤収納ケースにおける、収納トレイが押動係合装置を押し付ける動作を示す模式図である。
【図８】本考案に係る押し出し式錠剤収納ケースにおける、収納トレイが押動係合装置を押し付ける動作を示す模式図である。
【考案を実施するための形態】
【００１１】
本考案の目的を達成するために採用された技術手段を、以下の図面及び好ましい実施形態により説明する。
【００１２】
図１及び図４に示すように、本考案に係る押し出し式錠剤収納ケースは、ケース本体１０と、複数の収納トレイ２０と、複数の押動係合装置３０とを備える。
【００１３】
前記ケース本体１０は、内部空間１１と、該内部空間１１と連通する複数の開口部１２を有し、該複数の開口部１２から該内部空間１１に向かう方向は押圧方向Ｄ１として定義され、該内部空間１１から該複数の開口部１２に向かう方向は開放方向Ｄ２として定義される。本実施形態において、前記ケース本体１０は、蓋体１３及び下ケース１４を含む。
【００１４】
前記蓋体１３は、片方が前記下ケース１４に枢設され、もう片側が該下ケース１４に選択的に係合される。前記ケース本体１０において、その内部空間１１が、前記蓋体１３と前記下ケース１４との間に形成され、その複数の開口部１２が、該蓋体１３の周縁と該下ケース１４の周縁との間に形成され、その内壁面上に、前記押圧方向Ｄ１と平行する複数のスライド溝１５と、複数のストッパー１６が設けられる。尚、本実施形態において、前記スライド溝１５は、前記下ケース１４に配置され、前記複数のストッパー１６は、前記蓋体１３上に配置される。
【００１５】
前記収納トレイ２０は、前記ケース本体１０の内部空間１１内に設置されると共に、該ケース本体１０に対して、前記押圧方向Ｄ１又は開放方向Ｄ２に沿って移動することができ、且つそれぞれが前記開口部１２から選択的に突出することができる。各収納トレイ２０は、収納空間２１、係合部２２、案内部２３を有する。
【００１６】
前記収納空間２１の開放口は、前記開放方向Ｄ２との直交方向を向いているので、前記収納トレイ２０が、対応する開口部１２から突出しない限り、当該収納トレイ２０の収納空間２１は、対応する開口部１２から露出せず、一方で、該収納トレイ２０が、対応する開口部１２から突出すれば、当該収納トレイ２０の収納空間２１が、対応する開口部１２から露出する。前記ケース本体１０の蓋体１３は、前記複数の収納トレイ２０の収納空間２１の開放口を選択的にカバーする。前記ケース本体１０の複数のストッパー１６がそれぞれ、前記収納トレイ２０の収納空間２１内に突入しており、該各収納トレイ２０は、前記開放方向Ｄ２に沿って移動する時、対応するストッパー１６に当接することにより、該収納トレイ２０の移動量が規制され、これにより、該収納トレイ２０が前記ケース本体１０から脱落することが防止される。前記係合部２２は、前記収納トレイ２０における前記押圧方向Ｄ１を向く側面上に、該押圧方向Ｄ１に沿って延在するように形成される。前記案内部２３は、前記ケース本体１０のスライド溝１５のうちの一つの内に移動可能に設置される。
【００１７】
図５及び図６に示すように、前記押動係合装置３０は、前記内部空間１１内に設置されると共に、それぞれが前記複数の収納トレイ２０と選択的に係合され、各押動係合装置３０は、バックル３１、挟持具３２、バネ３３、及び切替え部材３４を含む。
【００１８】
前記バックル３１の内部に、切替え通路３１１及び傾斜面３１２を有し、該切替え通路３１１は、略Ｎ字状に形成されると共に、進入口３１１１、退出口３１１２、及び固定凹部３１１３を有する。前記挟持具３２は、二つの爪部３２１を有すると共に、前記バックル３１内に前記押圧方向Ｄ１及び開放方向Ｄ２に沿って移動可能に設置され、詳しく述べると、該挟持具３２が、該押圧方向Ｄ１へ移動すると、該挟持具３２の二つの爪部３２１は、該バックル３１に当接することにより、互いに近寄るように移動し、これにより、対象物を挟持することが可能となる。前記バネ３３は、前記挟持具３２とバックル３１との間に介装され、該挟持具３２を前記開放方向へ付勢する。前記切替え部材３４は、前記挟持具３２と枢動可能に連結されると共に、突起３４１を有する。
【００１９】
前記挟持具３２を、前記押圧方向Ｄ１へ移動させる際に、前記突起３４１は、最初に、前記傾斜面３１２に当接し、該傾斜面３１２上に沿って摺動し、次に、該傾斜面３１２を乗り越えて、前記進入口３１１１を通って前記切替え通路３１１内に進入し、その後、該切替え通路３１１内の固定凹部３１１３に固定され、これにより、該挟持具３２が、前記開放方向Ｄ２へ移動することができないように固定される（この時、該挟持具３２の二つの爪部３２１が、対象物を挟持している状態で保持される)。一方で、前記挟持具３２を、再び、前記押圧方向Ｄ１へ移動させると、前記突起３４１は、前記固定凹部３１１３から抜けて、前記切替え通路３１１内の曲がり角を乗り越えて、前記退出口３１１２を通って、該切替え通路３１１から脱離して、前記傾斜面３１２の前方に復帰し、同時に、該挟持具３２が、前記バネ３３の付勢力により前記開放方向Ｄ２へ押さえられることから、該挟持具３２の二つの爪部３２１は、該バックル３１の当接規制から開放され、挟持している対象物を解放する。
【００２０】
さらに、図７及び図８に示すように、上述した構成要素によれば、対応している前記収納トレイ２０が前記押圧方向Ｄ１へ移動すると、当該対応している収納トレイ２０の係合部２２が前記挟持具３２を押圧することにより、該挟持具３２は、当該対応している収納トレイ２０の係合部２２との係合／解放状態の切り換えが行われる。前記収納トレイ２０は、前記挟持具３２が挟持により係合されているとき、前記開放方向Ｄ２へ移動することができないので、対応する前記開口部１２から突出することができず、一方で、該挟持具３２による係合挟持される状態から解放されると、該開放方向Ｄ２へ移動して、該対応する開口部１２から突出する。
【００２１】
図１から図３に示すように、前記収納空間２１を開放したい時、使用者は、まず、前記収納トレイ２０を押圧し、すると、該収納トレイ２０の係合部２２が前記押動係合装置３０の挟持具３２を押すことにより、該挟持具３２を解放状態に切換えさせ、次に、手を放すと、該押動係合装置３０は、該収納トレイ２０を前記ケース本体１０の内部からわずかに外へ押し出し、これにより、使用者は、該収納トレイ２０を引き出して、該収納空間２１を完全に開放することができる。一方で、前記収納空間２１を閉じる時、前記収納トレイ２０を、前記係合部２２が前記挟持具３２に当接するまで押して、その後、該係合部２２を介して、該挟持具３２をバックル３１内に押し込んで、該挟持具３２を係合状態に切換えさせ、その結果、前記二つの爪部３２１によって、該係合部２２が挟持されていることから、該収納トレイ２０が、前記開放方向Ｄ２へ移動することができないように固定され、前記収納空間２１を前記ケース本体１０内に閉じて、錠剤を該収納空間２１内に収納することが確保される。
【００２２】
本考案の押し出し式錠剤収納ケースにおいて、ケース本体１０の内部空間１１に配置される収納トレイ２０は、ケース本体１０の開口部１２から選択的に突出することができ、また、収納トレイ２０の収納空間２１の開放口が、開放方向Ｄ２と直交するように設計されることにより、収納トレイ２０が、対応している開口部１２から突出していないのであれば、当該収納トレイ２０の収納空間２１が、対応している開口部１２から露出しないので、錠剤を収納することが確保される。
収納トレイ２０における押圧方向Ｄ１を向く側面上に、押圧方向Ｄ１に沿って延在するように形成される係合部２２が設置されることにより、収納トレイ２０が押圧方向Ｄ１へ移動すると、収納トレイ２０の係合部２２を介して挟持具３２を押圧し、すると、該挟持具３２は、収納トレイ２０の係合部２２との係合／解放状態の切り換えが行われ、収納トレイ２０と挟持具３２とが係合挟持されている状態において、収納トレイ２０は、開放方向Ｄ２へ移動することができず、開口部１２から突出することができないので、不意に開放されるような事態の発生を確実に防止でき、一方で、収納トレイ２０が挟持具３２に係合挟持されている状態から解放される状態において、収納トレイ２０は、開放方向へ移動して開口部１２から突出し、このような設計により、使用者は、収納トレイ２０を挟持具３２に押し付ける操作により、収納空間２１を下ケース１４から引き出すことができる。本考案の押し出し式錠剤収納ケースによれば、押圧操作で錠剤を収納する収納トレイ２０の収納空間２１を開閉することができることにより、爪を傷つけず、かつ指が不自由な人でも簡単に錠剤を収納することができる。
【００２３】
以上の説明は、本考案の好ましい実施形態に過ぎず、本考案に対して何ら限定を行うものではない。本考案について、比較的好ましい実施形態をもって上記のとおり開示したが、これは本考案を限定するものではなく、すべての当業者が、本考案の技術構想を逸脱しない範囲において、本考案の技術の本質に基づいて上記の実施形態に対して行ういかなる簡単な修正、変更及び修飾も、依然としてすべて本考案の技術構想の範囲内にある。
【符号の説明】
【００２４】
１０    ケース本体
１１    内部空間
１２    開口部
１３    蓋体
１４    下ケース
１５    スライド溝
１６    ストッパー
２０    収納トレイ
２１    収納空間
２２    係合部
２３    案内部
３０    押動係合装置
３１    バックル
３１１  切替え通路
３１１１    進入口
３１１２    退出口
３１１３    固定凹部
３１２  傾斜面
３２    挟持具
３２１  爪部
３３    バネ
３４    切替え部材
３４１  突起
Ｄ１    押圧方向
Ｄ２    開放方向
【図１】
0003231868.tif 000003
【図２】
0003231868.tif 000004
【図３】
0003231868.tif 000005
【図４】
0003231868.tif 000006
【図５】
0003231868.tif 000007
【図６】
0003231868.tif 000008
【図７】
0003231868.tif 000009
【図８】
0003231868.tif 000010